(57)【特許請求の範囲】
【請求項１】
コネクタハウジングのキャビティ内には、このキャビティ内へ挿入される雌形端子金具の箱形部と弾性的に係止可能な弾性係止片と、この弾性係止片の下方に配され弾性係止片の撓みを許容する撓み許容空間と、この撓み許容空間の前方に連通して配され弾性係止片と前記箱形部との係止を解除するための治具の挿入を許容する治具挿入空間とが設けられてなり、前記雌形端子金具が弾性係止片によって係止されたときには、前記箱形部が前記治具挿入空間に対し浮いた状態で保持されるものにおいて、
前記キャビティの端子金具挿入先側の前面壁のみには前記箱形部と対向するように係合部が突出し、前記雌形端子金具が正規位置まで挿入されたときに、前記箱形部の内部へ進入することで、前記雌形端子金具を前記弾性係止片と前記係合部との二ヶ所で支持される構成であることを特徴とする雌形コネクタ。
【請求項２】
前記コネクタハウジングには前記撓み許容空間へ進入してその変形を規制するリテーナが装着されると共に、そのリテーナには前記箱形部を支える支持部が設けられていることを特徴とする請求項１記載の雌形コネクタ。
【発明の詳細な説明】
【０００１】
【発明の属する技術分野】
本発明はコネクタハウジングのキャビティ内に雌形端子金具を装着してなる雌形コネクタに関する。
【０００２】
【従来の技術】
この種のコネクタとしては、特開平９−２１９２３６が公知である。これは図６に示すように、コネクタハウジング１にキャビティ２を形成すると共に、そのキャビティ２内に先端に箱形部３Ａを有する雌形端子金具３を挿入し、その端子金具３をコネクタハウジング１に一体に形成した弾性係止片４にて抜け止めする構成である。
【０００３】
この雌形端子金具３はキャビティ２内に挿入した状態で安定的に保持するために、キャビティ２の前方の左右両側壁部に図７に示すような支持段部５，５が形成されており、その支持段部５によって雌形端子金具３の前半部が支えられるようになっている。
【０００４】
【発明が解決しようとする課題】
しかしながら、上記構成では、各キャビティの内側壁に支持段部５，５を形成する必要があるから、各キャビティ間の横幅ピッチＷが大きくなり、コネクタ全体の小型化に制約があるという問題があった。
【０００５】
本発明は上記事情に鑑みてなされたもので、キャビティ間の横幅ピッチを小さくできて小型化を図ることができるコネクタを提供することを目的とする。
【０００６】
【課題を解決するための手段】
上記の目的を達成するため、請求項１の発明は、コネクタハウジングのキャビティ内には、このキャビティ内へ挿入される雌形端子金具の箱形部と弾性的に係止可能な弾性係止片と、この弾性係止片の下方に配され弾性係止片の撓みを許容する撓み許容空間と、この撓み許容空間の前方に連通して配され弾性係止片と前記箱形部との係止を解除するための治具の挿入を許容する治具挿入空間とが設けられてなり、前記雌形端子金具が弾性係止片によって係止されたときには、前記箱形部が前記治具挿入空間に対し浮いた状態で保持されるものにおいて、前記キャビティの端子金具挿入先側の前面壁のみには前記箱形部と対向するように係合部が突出し、前記雌形端子金具が正規位置まで挿入されたときに、前記箱形部の内部へ進入することで、前記雌形端子金具を前記弾性係止片と前記係合部との二ヶ所で支持される構成であるところに特徴を有する。
【０００７】
また、請求項２の発明は、請求項１記載の雌形コネクタであって、前記コネクタハウジングには前記撓み許容空間へ進入してその変形を規制するリテーナが装着されると共に、そのリテーナには前記箱形部を支える支持部が設けられているところに特徴を有する。
【０００９】
【発明の作用・効果】
請求項１の発明によれば、雌形端子金具の先端縁内側に係合する係合部をキャビティの前面壁に設けることにより、支持段部をキャビティ内に設けるのに比べて、隣り合うキャビティ間の横幅ピッチＷを小さくすることが可能である。すなわち、雌形端子金具の安定保持を損なうことなく、コネクタの小型化も可能であるという効果を奏する。
【００１１】
さらに、請求項２の発明によれば、コネクタハウジング内に設けられた弾性係止片の変形を規制するリテーナには、上記雌形端子金具の先端部を支える支持部が設けられているから、雌形端子金具はこの支持部によって支持され、さらに安定的に保持されるという効果を奏する。
【００１２】
【発明の実施の形態】
＜第一実施形態＞
以下、本発明の第一実施形態について図１ないし図４を参照して説明する。
【００１３】
図中１０はコネクタハウジングであり、内部に雌形端子金具２０を収容するためのキャビティ１１が前後（図１中左右方向）に延びて設けられている。コネクタハウジング１０の前面壁１２にはキャビティ１１に連なるタブ挿入口１３が開口しており、キャビティ１１内に雌形端子金具２０が収容された状態で、前記タブ挿入口１３を通して図示しない雄型端子金具のタブ部が挿入されると、これが雌形端子金具２０と接続される。またタブ挿入口１３の下方には、弾性係止片１５の係合を外すための治具を挿入する治具挿入口がタブ挿入口１３と連なっており、さらにこの治具挿入口はキャビティ１１の内部において治具挿入空間１４へと通じ、さらに後述するたわみ許容空間１７へと連続している。
【００１４】
雌形端子金具２０は、電線３０の絶縁被覆が防水用のゴムシール３２と共にカシメ固定されるインシュレーションバレル２１、電線３０の芯線３１がカシメ固定されるワイヤバレル２２、及びこれらの前方で角筒状をなす箱形部２３を備えた周知の形状であり、その箱形部２３内には図示しない雄型端子金具と接続される弾性接触片（図示せず）が設けられている。
【００１５】
一方、キャビティ１１内には、雌形端子金具２０をキャビティ１１内に抜け止めするための係止機構に相当する弾性係止片１５が、コネクタハウジング１０と一体に設けられている。この弾性係止片１５は、コネクタハウジング１０の前方に向いて片持ち状に形成されていて、その先端上部には係止突起１６が設けられている。また弾性係止片１５の下方には、弾性係止片１５の先端側を下向きにたわみ可能にするたわみ許容空間１７が設けられている。  雌形端子金具２０がキャビティ１１内に挿入されると、箱形部２３の下部先端が弾性係止片１５を下方へ変形させて奥方へ進み、その下部後端において弾性係止片１５の係止突起１６によって抜け止めされる。
【００１６】
また、キャビティ１１の前面壁１２には、係合部１８が形成されている。係合部１８は、これとキャビティ１１の上壁１９との間の空間幅が、箱形部２３の上壁２４の厚み幅より若干大きくなる位置に、キャビティ１１の前面壁１２から上壁１９と平行になるように突出して形成されている。
雌形端子金具２０がキャビティ１１内に挿入されると、上記係合部１８は箱形部２３の先端縁内側に進入し、キャビティ１１の上壁１９と係合部１８とで箱形部２３の上壁２４をはさんだ状態となって、箱形部２３を保持するのである。
【００１７】
本実施形態の構成は以上の通りであり、その組立手順は次のようである。
【００１８】
雌形端子金具２０がコネクタハウジング１０の後方からキャビティ１１内に挿入されると、箱形部２３の先端が弾性係止片１５の係止突起１６に当接して弾性係止片１５をたわみ許容空間１７側に変形させ、雌形端子金具２０は奥方へ挿入される。そして雌形端子金具２０が正規位置まで挿入されると、弾性係止片１５は弾発力によってもとの位置に戻り、係止突起１６が箱形部２３の後端下部に係止して抜け止めされた状態となる。またこの時、キャビティ１１の係合部１８は、箱形部２３の上壁２４の先端縁内側に進入して、係合部１８とキャビティ１１の上壁１９とで箱形部２３の上壁２４をはさんだ状態となる。すなわち、雌形端子金具２０は、弾性係止片１５と係合部１８の２箇所で支持された状態となるのである。
【００１９】
このように、本実施形態によれば、キャビティ１１に係合部１８を設けたことにより、雌形端子金具２０をキャビティ１１内に安定的に保持することが可能となる。したがって、従来設けられていた支持段部を取り除くことができ、雌形端子金具２０の安定性を損なうことなく各キャビティ１１間の横幅ピッチＷを小さくすることが可能となるのである。すなわち、コネクタ全体の小型化が実現できるいう優れた効果を奏する。
【００２０】
＜第二実施形態＞
【００２１】
図５は本実施形態のコネクタであり、上記第一実施形態のコネクタに、雌形端子金具２０の抜け止めを確実にするためのリテーナ５０を組み合わせたものである。以下、上記第一実施形態と重複する部分は省略して異なるところを説明する。
【００２２】
コネクタハウジング４０の前方には、角筒状をなすリテーナ５０が位置しており、このリテーナ５０はコネクタハウジング４０の前方を覆う形で装着可能とされている。リテーナ５０のうち、コネクタハウジング４０のタブ挿入口４３に対応する位置には、同じくタブ挿入口５１が形成されており、図示しない雄型端子金具のタブ部の挿入を可能にしている。
【００２３】
またリテーナ５０には、コネクタハウジング４０、雌形端子金具２０、及びリテーナ５０が正規位置に装着されたときに、弾性係止片４５の下方に位置してこれのたわみを規制するたわみ規制片５３が延出して形成されていると共に、雌形端子金具２０の箱形部２３を下方から支える支持部５２が、たわみ規制片５３の基部側に一体に設けられている。
【００２４】
リテーナ５０がコネクタハウジング４０の前方に装着されると、リテーナ５０のたわみ規制片５３がキャビティ４１のたわみ許容空間４７内に進入し、弾性係止片４５は変形が規制されるため、雌形端子金具２０のいわゆる二重係止が行われる。またこの時、たわみ規制片５３と一体に形成されている支持部５２は、雌形端子金具２０の箱形部２３の下面と接触しており、雌型端子金具２０を下方から支持する。
【００２５】
本実施形態によれば、リテーナ５０には支持部５２が形成されているので、雌型端子金具２０は弾性係止片４５、係合部４８、支持部５２の３箇所によって支持されることになり、上記実施形態の効果に加え、より安定的に保持されるという効果を奏する。
【００２６】
なお本発明は上記記述及び図面によって説明した実施の形態に限定されるものではなく、要旨を逸脱しない範囲内で種々変更して実施することができる。
【図面の簡単な説明】
【図１】本発明の第一実施形態に係るコネクタの縦断面図
【図２】同じく図１のＡ−Ａ線の断面図
【図３】同じくコネクタの背面図
【図４】同じくコネクタハウジングと雌型端子金具組立時のコネクタの縦断面図
【図５】本発明の第二実施形態に係るコネクタの縦断面図
【図６】従来のコネクタの縦断面図
【図７】同じく図６のＢ−Ｂ線の断面図
【符号の説明】
１０…コネクタハウジング
１１…キャビティ
１５…弾性係止片
１７…たわみ許容空間（弾性変形領域）
１８…係合部
２０…雌型端子金具
Ｗ…横幅ピッチ
【図１】
0003613976.tif 000002
【図２】
0003613976.tif 000003
【図３】
0003613976.tif 000004
【図４】
0003613976.tif 000005
【図５】
0003613976.tif 000006
【図６】
0003613976.tif 000007
【図７】
0003613976.tif 000008